(57)【要約】【課題】利用者が案内データを得る可能性を高める。【解決手段】第２のコントローラ３１は、インターネットから取得した情報や、第２のＥＥＰＲＯＭ３７からの情報などのインデックス表示に関連する案内情報などを、液晶パネル４７に表示させることができる。この際、一般的なテレビ放送の表示に必要な機能に関しては、電源の供給を行わないように制御しておくことで、電力消費を低減させた状態で、表示させておくことができる。この場合に、電力消費を低減しながら、インデックス表示を行うことができるため、テレビ視聴を行っていない状態であっても、常にインデックス表示を行わせておくことができる。【選択図】図１
2008092362.tif 000002
【特許請求の範囲】
【請求項１】
テレビ放送受信部と、
該テレビ放送受信部により受信されたテレビ放送系の信号処理及び出力処理に関する制御を行う第１の制御部と、
インターネットに基づくインターネット情報を取得するインターフェイス部と、
該インターフェイス部から取得した前記インターネット情報に関する信号処理と出力処理及び電力制御処理を行う第２の制御部と、を備え、
前記第１の制御部により前記テレビ放送系の信号に基づく第１の情報の表示と前記インターネット情報に関する第２の情報の表示とのうち前記第１の情報が非表示になると、前記第２の制御部により前記第２の情報が表示される制御が行われることを特徴とするテレビジョン受信装置。
【請求項２】
前記第２の情報の表示は、前記インターネット情報に基づくニュースのインデックス情報であることを特徴とする請求項１に記載のテレビジョン受信装置。
【請求項３】
前記インデックス情報に、情報ソースのインターネット情報へのリンク付けが行われていることを特徴とする請求項２に記載のテレビジョン受信装置。
【請求項４】
テレビ放送受信部と、
該テレビ放送受信部により受信されたテレビ放送系の信号処理及び出力処理に関する制御を行う第１の制御部と、
前記テレビ放送に含まれるお知らせ情報に関する信号処理と出力処理及び電力制御処理を行う第２の制御部と、を備え、
前記第１の制御部により前記テレビ放送系の信号に基づく第１の情報の表示と前記インターネット情報に関する第２の情報の表示とのうち前記第１の情報が非表示になると、前記第２の制御部により前記第２の情報が表示される制御が行われることを特徴とするテレビジョン受信装置。
【請求項５】
前記インデックス表示モードへの切替えがなされると、前記第１の制御部により制御される第１の不揮発性メモリに格納されている情報を、前記第２の制御部により制御される第２の不揮発性メモリに転送し、該第２の不揮発性メモリに格納されている情報に基づいて前記第２の情報が表示されることを特徴とする請求項４に記載のテレビジョン受信装置。
【請求項６】
前記第２の情報の表示は、ソフトウェアのダウンロード情報又は放送局に関する更新情報を含むことを特徴とする請求項１に記載のテレビジョン受信装置。
【請求項７】
前記第２の情報の表示は、再放送番組のお知らせ情報に関するものであることを特徴とする請求項１に記載のテレビジョン装置。
【請求項８】
前記再放送番組のお知らせ情報と、該再放送番組の視聴又は録画予約設定画面とが関連付けされていることを特徴とする請求項７に記載のテレビジョン受信装置。
【請求項９】
前記第１の制御部により制御されている回路基板の電源供給を制御するとともに、前記第２の情報としてインデックスを表示するインデックス表示モードにおいて前記第２の制御部から制御を行う電源制御部を有することを特徴とする請求項１から８までのいずれか１項に記載のテレビジョン受信装置。
【請求項１０】
前記インデックス表示モードにおいて、前記電源制御部は、テレビ放送系の信号処理及び出力処理を行う機能への電力供給を低減又は停止することを特徴とする請求項９に記載のテレビジョン受信装置。
【請求項１１】
前記インデックス表示モードへの切替えがなされると、前記第２の情報とともに、余白領域に広告情報を含む第３の情報が表示されることを特徴とする請求項１から１０までのいずれか１項に記載のテレビジョン受信装置。
【請求項１２】
前記インデックス表示モードへの切替えがなされると、前記第２の情報に関するインデックスが１項目ずつ表示されることを特徴とする請求項１から１１までのいずれか１項に記載のテレビジョン受信装置。
【請求項１３】
請求項１から１２までのテレビ受信装置を遠隔制御するリモコン装置であって、前記インデックス表示モードに切り替える指示を行うためのインデックス表示モードボタンを備えることを特徴とするリモコン装置。
【請求項１４】
前記インデックス表示モードボタンが押されると、リモコン装置の操作ボタンを押した場合に行われる機能が、インデックス表示をするかどうかの選択と、インデックス表示の種別の変更と、の２種類のみに割り当てられることを特徴とする請求項１３に記載のリモコン装置。
【請求項１５】
請求項１から１２までのいずれか１項に記載のテレビジョン受信装置を備えた携帯通信端末。
【発明の詳細な説明】
【技術分野】
【０００１】
本発明は、テレビジョン受信装置及びそれを用いたテレビサービスに関し、特に、テレビ放送の表示がなされていない場合に情報表示を行う技術に関する。
【背景技術】
【０００２】
テレビジョン受信装置において、テレビ放送以外をソースとする情報を表示させる技術として、特許文献１に記載の技術がある。この技術では、見逃した番組があると思われる利用者に対してその旨知らせると共に、見逃した番組の放送予定を知らせることにより、視聴中にその情報を表示して確実に確認することが可能になる。
【０００３】
【特許文献１】特開平１１−８８２８０号公報（発明の名称：放送サービスの案内システム）
【発明の開示】
【発明が解決しようとする課題】
【０００４】
上記特許文献１に記載によれば、情報をテレビ視聴中(もしくは、予約視聴直前)に画面上に表示することにより、確実に情報を得られる。
【０００５】
しかしながら、テレビ放送の本編が放送されている期間において、案内データが表示されることを嫌う利用者も多い。そのため、案内データの表示の可否に関する設定を予め「切る」に設定している場合も多く、利用者が案内データを得る確率が低くなってしまうという問題があった。
【０００６】
本発明は、利用者が案内データ等のインデックス表示を見ることができる機会を高めることを目的とする。
【課題を解決するための手段】
【０００７】
本発明の一観点によれば、テレビ放送受信部と、該テレビ放送受信部により受信されたテレビ放送系の信号処理及び出力処理に関する制御を行う第１の制御部と、インターネットに基づくインターネット情報を取得するインターフェイス部と、該インターフェイス部から取得した前記インターネット情報に関する信号処理と出力処理及び電力制御処理を行う第２の制御部と、を備え、前記第１の制御部により前記テレビ放送系の信号に基づく第１の情報の表示と前記インターネット情報に関する第２の情報の表示とのうち前記第１の情報が非表示になると、前記第２の制御部により前記第２の情報が表示される制御が行われることを特徴とするテレビジョン受信装置が提供される。前記第２の情報の表示は、前記インターネット情報に基づくニュースのインデックス情報であることが好ましい。
【０００８】
上記装置によれば、テレビ放送を視聴していない時に、インターネットより得られた情報を視聴することができる。
【０００９】
前記インデックス情報に、情報ソースのインターネット情報へのリンク付けが行っていても良い。また、前記第２の情報として、前記インターネット情報に代えて、例えば、ソフトウェアのダウンロード情報又は放送局に関する更新情報が含まれていても良い。或いは、再放送番組のお知らせ情報であっても良い。前記再放送番組のお知らせ情報と、該再放送番組の視聴又は録画予約設定画面とが関連付けされていることが好ましい。このようにすると、インデックス情報と関連する処理を簡単な操作で行うことができる。
【００１０】
前記第１の制御部により制御されている回路基板の電源供給を制御するとともに、前記第２の情報としてインデックスを表示するインデックス表示モードにおいて前記第２の制御部から制御を行う電源制御部を有することが好ましい。前記インデックス表示モードにおいて、前記電源制御部は、テレビ放送系の信号処理及び出力処理を行う機能への電力供給を低減又は停止することもできる。これにより、エネルギー消費を低減することができる。前記インデックス表示モードへの切替えがなされると、前記第２の情報とともに、余白領域に広告情報を含む第３の情報が表示されるようにしても良い。前記インデックス表示モードへの切替えがなされると、前記第２の情報に関するインデックスが１項目ずつ表示されるようにしても良い。
【００１１】
本発明の他の観点によれば、テレビ放送受信部と、該テレビ放送受信部により受信されたテレビ放送系の信号処理及び出力処理に関する制御を行う第１の制御部と、前記テレビ放送に含まれるお知らせ情報に関する信号処理と出力処理及び電力制御処理を行う第２の制御部と、を備え、前記第１の制御部により前記テレビ放送系の信号に基づく第１の情報の表示と前記インターネット情報に関する第２の情報の表示とのうち前記第１の情報が非表示になると、前記第２の制御部により前記第２の情報が表示される制御が行われることを特徴とするテレビジョン受信装置が提供される。
【００１２】
前記インデックス表示モードへの切替えがなされると、前記第１の制御部により制御される第１の不揮発性メモリに格納されている情報を、前記第２の制御部により制御される第２の不揮発性メモリに転送し、該第２の不揮発性メモリに格納されている情報に基づいて前記第２の情報が表示されるようにしても良い。
【００１３】
上記テレビ受信装置を遠隔制御するリモコン装置であって、前記インデックス表示モードに切り替える指示を行うためのインデックス表示モードボタンを備えることを特徴とするリモコン装置であっても良い。前記インデックス表示モードボタンが押されると、リモコン装置の操作ボタンを押した場合に行われる機能が、インデックス表示をするかどうかの選択と、インデックス表示の種別の変更と、の２種類のみに割り当てられるようにすると良い。これにより、リモコンの誤操作を防止できる。
【００１４】
尚、インターネット機能がついたテレビにおいて、テレビ放送を見ていない場合でも、画面上に最新情報を流すことで、ユーザが欲しかった情報を得られる可能性が高くなり、且つ情報提供者もユーザに最新情報が得られるようにしたサービスとして提供することもできる。
【発明の効果】
【００１５】
本発明によれば、最新ニュースが知りたい場合や、ダウンロードのお知らせ、テレビ番組再放送のお知らせ等、さまざまな情報を、テレビを視聴していない時でもテロップ感覚で表示させることで、最新の情報を特に意識せずに得ることができるという利点がある。
【発明を実施するための最良の形態】
【００１６】
以下、本発明の第１の実施の形態によるテレビジョン受信装置について図面を参照しながら説明を行う。図１は、本実施の形態によるテレビジョン受信装置の一構成例を示す図である。図１に示すように、テレビジョン受信装置Ａは、アンテナ１と、チューナ３と、復調部５と、第１のコントローラ（ＣＰＵ、マイコン）７と、ＲＡＭ１５と、ＲＯＭ１７と、第１のＥＥＰＲＯＭ２１と、オーディオ用のＤＡＣ（ＤＡコンバータ）２３と、アンプ（ＡＭＰ）２５と、音声出力用のスピーカ２７と、を有している。
【００１７】
第１のコントローラ７には、音声出力端子（Ａｕｄｉｏ  Ｏｕｔ）と、主映像出力端子（Ｍａｉｎ  Ｖｉｄｅｏ  Ｏｕｔ）と、デマルチプレクサ１１と、が設けられており、音声出力端子（Ａｕｄｉｏ  Ｏｕｔ）の出力は、オーディオ用のＤＡＣ（ＤＡコンバータ）２３に出力される。
【００１８】
さらに、主映像出力端子（Ｍａｉｎ  Ｖｉｄｅｏ  Ｏｕｔ）からの出力を受けるビデオプロセッサ（バックライトコントローラ機能を備える）３３と、インバータ回路４５及びこれにより駆動するバックライト５１と、これらにより表示可能とする液晶パネル４７とを有している。また、電源に関する制御を行う電源制御部３５と、第２のＥＥＰＲＯＭ３７と、Ｅｔｈｅｎｅｔコントローラ４１と、リモコン受光部４３と、を有しており、ビデオプロセッサ３３と、これらは、第２のコントローラ３１により制御される。Ｅｔｈｅｎｅｔ（インターネットから情報を取得する）コントローラ４１により、例えば、インターネットからの情報を取得し、取得した情報の少なくとも一部を液晶パネル４７に表示することができる。或いは、情報を音声として知らせることもできる。
【００１９】
ビデオプロセッサ３３は、出力色数のプログラムも実行するものであり、後述するインデックス表示モードでは、ビット数を抑え消費電力を削減することも可能である。尚、バックライトコントローラ機能によりバックライト光度を下げることができ、画像の種別などに応じて調整を行うことができる。電源制御部３５は、第１のコントローラ７により制御されている回路基板の電源供給を制御するとともに、インデックス表示モードにおいて第２のコントローラ３１から制御を行う。
【００２０】
第１のコントローラ７は、放送系信号の制御を行い、テレビ受信装置Ａがスタンバイ時は電源制御部３５によりオフされる。第２のコントローラ３１は、主電源がオンされている時はオン状態を保ち、インターネット系の処理機能や電源制御部３５の制御を行うことができ、後述するモードの判別機能も持つことで、現在テレビ受信装置Ａがどのような状態（モード）であるかを判断し、制御することができる。加えて、テレビジョン受信装置Ａの放送信号系出力が行われていない時（例えばインデックス表示モード中）に第２のコントローラ３１は電源制御部３５を制御することで、後述する図１の符号Ｂの部分の電源をオフすることもでき、また放送信号系の出力が行われている時にオンにすることもできる。さらに、放送信号系の出力も行われずインデックス表示モードでもなく、かつ、テレビ受信装置Ａがオフ状態の時（リモコン受信は可能である時）は、第２のコントローラ自身をスタンバイモードにすることもできる。
【００２１】
第１のＥＥＰＲＯＭ２１は、第１のコントローラ７の制御下にあるＥＥＰＲＯＭであり、放送系からきた情報を保持する。第２のＥＥＰＲＯＭ３７は、第２のコントローラ３１の制御下にあるＥＥＰＲＯＭであり、インデックス表示に遷移する際、第１のＥＥＰＲＯＭのデータを転送してもらい、インデックス表示終了→通常電源オフ→通常電源オン時には第１のＥＥＰＲＯＭへデータを転送する。インデックス表示時に、第２のＥＥＰＲＯＭのデータが変更される場合があるためである。    
【００２２】
上記機能を、破線により２つの部分（第１の部分Ｂ、第２の部分Ｃ）に大別することができる。第１の部分Ｂ、すなわち放送に基づく復調、オーディオ・ビデオ関連の機能は第１のコントローラ７により、第２の部分Ｃ、すなわち、ネットワークに基づく表示関連とは第２のコントローラ４１により制御できる。但し、第１のコントローラ７と第２のコントローラ４１とは互いに連携している。
【００２３】
尚、インデックス情報とは、最新ニュースに関するインデックス（大見出し）や、テレビ番組の再放送のお知らせなどの様々な情報であって、情報量としてはそれほど多くない例えばテロップやテキストなどの情報である。これらの情報に基づいて、さらに詳しい情報へアクセスできるようになっていても良い。
【００２４】
上記構成において、第２のコントローラ３１は、インターネットから取得した情報や、第２のＥＥＰＲＯＭ３７からの情報などのインデックス表示に関連する案内情報などを、液晶パネル４７に表示させることができる。この際、一般的なテレビ放送の表示に必要な機能に関しては、電源の供給を行わない、又は、低減するように制御しておくことで、電力消費を低減させた状態で、インデックス表示させておくことができる。この場合に、電力消費を低減しながら、インデックス表示を行うことができるため、テレビ視聴を行っていない状態であっても、常にインデックス表示を行わせておいても省電力化が可能である。
【００２５】
例えば、テレビ視聴中にリモコン電源ボタンが押され、インデックス表示モードへ遷移する場合、
１）リモコン受光部４３から信号を受け、第２のコントローラ３１から第１のコントローラ７へインデックス表示モードへの切替えを通知する。この際、第１のＥＥＰＲＯＭ２１の機器お知らせ情報や、再放送案内情報等を第２のＥＥＰＲＯＭ３７に転送する。
２）インデックス表示モードの電源制御を行うため、第２のコントローラ３１から電源制御部３５へ図１の領域Ｂに含まれる機能ブロックの電源オフを通知する。        
３）第２のコントローラ３１から通知を受けた電源制御部３５は、領域Ｂに含まれる機能ブロックの電源をオフする。
４）インデックス表示モード時は省エネモードでもあるため、バックライトの光度を下げ、出力色数を抑えるモードに切替えることができる。この際、領域Ｃに含まれるインターネット系の機能はオフされず、これにより取得されたインデックス情報が液晶パネルに表示される。
【００２６】
次に、上記構成を有するテレビジョン受信装置の動作について図２Ａ、図２Ｂで示すフローチャート図に基づいて説明する。図３は、図２Ａ、図２Ｂで示す処理のうちの一部であるモードＡ、モードＢ、モードＣに関するリモコンキーの割付に関する規約の一例を示す図である。図４は、リモコン装置の一例を示す図である。図４に示すリモコン装置Ｄは、一般的なリモコン装置の概略構成を示す図である。図４に示すリモコン装置Ｄは、操作ボタン６３を複数設ける操作部６１と、メニュー表示におけるフォーカスを移動させる際などに用いる方向キー７１ａ〜７１ｄと、決定キー６７と、リモコン信号に基づく赤外線をリモコン受光部４３に対して出射する赤外線出射部７３と、を備えている。さらに、本実施の形態によるリモコン装置は、後述するモード切換を行うためのモード切換部７５を備えている。
【００２７】
図３は、モードＡ〜モードＣまでの切換に応じて変化するリモコンキー６３の割り当て（役割）の一例を示す図である。モードＡは、一般的な放送番組の出力モードである。モードＢは、インデックス表示（お知らせ表示）を行うモードである。モードＣは、Ｗｅｂ表示からインデックス表示への遷移を行うための選択モードである。また、モード切換部７５を持たないリモコンでも、受信機側でモード判別を行うことで、モード毎にリモコン受信信号の機能を切換えて操作を行うことが可能である。
【００２８】
図２Ａ、図２Ｂに示すように、まず、ステップＳ１において、通常の放送選局モードであるとする。ここで、リモコンパワーオフをすると、通常の放送選局モードは終了し（ステップＳ２：Ａ１）、ステップＳ３において、インデックス表示であるか、電源OFFであるか、テレビ視聴であるか、を判定する。ここで、テレビ視聴であればステップＳ４に進み、情報表示であればステップＳ５に進み、電源OFFであれば（例えば、リモコン電源ボタンが２回連続で押された場合、電源オフモードに進むことが予め規定されている)、ステップＳ６に進む。ステップＳ４においては、放送選局系の電源をＯＮにし(ＯＮであった場合にはそのままの状態を維持し)、通常の選局モードへ遷移する。ステップＳ６においては通常の電源をオフする。ステップＳ５においては、インデックス情報を表示する。この場合には、ステップＳ７において、ニュース、再放送情報、機器お知らせ情報のいずれかを選択することができる。この選択処理から後は、モードＡからモードＢに切り替わる。
【００２９】
ステップＳ７において機器お知らせ情報を選択すると、ステップＳ８に進み、機器に保存されている「お知らせ」を表示する。次いで、ユーザがリモコンを押したか否かを判定し（ステップＳ９）、押した場合には（Ｙｅｓ）ステップＳ１０に進み、押していない場合には（Ｎｏ）ステップＳ８に戻る。ステップＳ１０からはモードＡに戻り、ステップＳ１０において１．他の情報表示選択、２.機器設定を行う、３.キャンセルのうちのいずれかを選択する。１が選択された場合には、ステップＳ１２に進み、1.初期画面選択、２.インデックス表示選択、のいずれかを選択し、１を選択した場合にはステップＳ３に進み、２を選択した場合にはステップＳ１３、すなわちステップＳ５に戻る。
【００３０】
ステップＳ１０において２が選択されると、ステップＳ１１に進み、ステップＳ１１においてお知らせに基づき、機器設定を行う。機器設定を終了すると、図２Ａに示すようにステップＳ８に進み、設定された機器に保存されている「お知らせ」を表示する。この機器設定とは、お知らせを表示させるための機器の設定が必要な場合に行われる。
【００３１】
ステップＳ７においてニュースを選択した場合には、ステップＳ１４に進み、Ｗｅｂページの表示から、例えば公知のＲＳＳリーダなどによりインデックス抽出処理を行い、ステップＳ１５において、ユーザがリモコンボタンを押したかどうかを判定し、リモコンボタンを押した場合（Ｙｅｓ）にはステップＳ１６に進む。リモコンボタンを押していない場合には（Ｎｏ）ステップＳ１４に戻る。
【００３２】
ステップＳ１６においては、１.他の情報表示選択、２.ニュース詳細情報取得のためにＷｅｂへ移動、３.キャンセル、のうちからいずれかを選択する。１を選択した場合には、ステップＳ１２に進む。２を選択した場合には、ステップＳ１７に進む。３を選択した場合には、ステップＳ１４に戻る。ステップＳ１６において２を選択しステップＳ１７に進むと、ニュースサイトに遷移し、例えばニュースの詳細に関するＷｅｂ画面を表示（そのまま別Ｗｅｂ画面の表示でも良い）を行う。次いで、ステップＳ１８において、ユーザが戻るボタンを押せば（Ｙｅｓ）ステップＳ１４に戻る。戻るボタンを押さなければ（Ｎｏ）、ステップＳ１７に戻る。
【００３３】
ステップＳ１９に進んだ場合には、ステップＳ１９において番組情報を取得し、ステップＳ２０においてユーザがリモコンボタンを押したか否かを判定する。押していなければ（Ｎｏ）ステップＳ１９に戻る。押していれば（Ｙｅｓ）ステップＳ２１に進み、１.他の情報表示選択、２.録画予約を行う、３.キャンセル、のうちから選択を行うことになる。１を選択した場合には、ステップＳ１２に進む。２を選択した場合には、ステップＳ２２に進み、録画予約操作を行う。予約操作が完了し予約されると、ステップＳ１９に戻る。３を選択すると、ステップＳ１９に戻る。尚、ステップＳ１０、Ｓ１６、Ｓ２１からはモードＡとなり、ステップＳ１８はモードＣとなる。
【００３４】
以上に説明したように、特にステップＳ３において情報表示（インデックス表示）を選択することができ、これを選択した場合には、リモコンのボタン割り当てがモードＢに切り替わるとともに、機器お知らせ表示、ニュースインデックス表示、再放送情報表示などの簡易インデックス表示モードに切り替わる。もちろん、この際、上述のように、テレビ放送表示に関する機能への電力供給を低減したりすることで、省エネルギー化をはかることができる。バックライトの明るさなどをテレビ放送表示の場合よりも暗めに切り替わるようにしても良い。解像度も低減させるようにしても良い。
【００３５】
図５から図７までは、上記処理に基づいて切り替わる画面表示例を示す図である。図５は、図２ＡのステップＳ７でニュースを選択した場合の液晶パネルへの表示例を示す図である。まず、テレビジョン受信装置Ａにおいてニュース情報が流れている場合に、表示部８１には、符号８３で示すように。気象情報に関するインデックスが表示されている。このインデックスは、例えば数秒後には、符号８５で示すような別のニュースインデックスに切り替わる。次いで例えば数秒後には、符号８７で示すように、さらに別のニュースインデックス情報に切り替わる。尚、ユーザが興味を持った場合には、任意のインデックス表示画面において例えばリモコンの決定ボタンを押すと、インデックス抽出元のＷｅｂの表示８９が表示される。この画面からは、一般的なＷｅｂ画面と同様に種々のリンク先へと遷移させることもできるし、表示８５に戻ることも可能である。
【００３６】
図６は、メニューのお知らせの場合の表示例を示す図である。表示画面には、テレビジョン受信装置のバグなどを修正するためのソフトウェアのダウンロードに関するお知らせ９１が表示されている。例えば、数秒後には、新たな放送局の開設などに関する放送局のお知らせ９３が表示され、次いで、再びソフトウェアのダウンロードに関するお知らせ９５が表示されている。この場合には、インターネットからの情報取得ではなく、一般的な放送局からの放送信号に基づく情報取得データが表示される。このデータは、放送時に前もって第１のＥＥＰＲＯＭ２１に格納されており、インデックス表示時になると、第２のＥＥＰＲＯＭ３７に転送され、このデータに基づいてインデックス表示されるようになっている。
【００３７】
図７は、再放送番組のお知らせの場合の表示例を示す図である。表示画面８１には、再放送番組の番組名、再放送時刻、再放送チャネルが表示されている（符号１０１）。数秒後には、次の異なる番組に関する再放送情報１０３が表示され、数秒後には、さらに別の放送の再放送情報１０５が表示されている。例えば、表示１０３の再放送情報１０３が表示されている画面において、リモコン装置の決定ボタンを押すと、例えば、連動予約を行うことができる。すなわち、再放送情報表示１０３に基づく再放送番組の予約設定画面１０７が表示され、これに基づいて簡単な操作で予約設定を行うことができる。ここで、再放送番組のお知らせを行う番組としては、例えば、ユーザが指定した番組、指定していないが過去の再放送に関する予約を行った履歴のある番組などをピックアップした表示させる方法などを採用することができる。
【００３８】
以上に説明したように、本実施の形態によれば、テレビのニュース番組が放送されていない時間帯でも最新ニュースが知りたい場合や、ダウンロードのお知らせ、テレビ番組再放送のお知らせ等、さまざまな情報を、テレビを視聴していない時でもテロップ感覚でテレビモニタに流すことで、何気なく最新の情報を得ることができる。また、ＰＣなどでホームページを開く手間もなく、音声を出したくない場合でも情報入手が可能であるため、例えば、子供を寝かしつけた後や、両手が塞がっている料理中の時にでも最新情報が得られる。尚、インデックス表示画面への遷移は、視聴時間が例えば通常の最長視聴時間である２時間を越えた場合には、自動的に行われるようにしても良い。
【００３９】
次いで、本発明の第２の第２の実施の形態によるテレビジョン受信装置について図面を参照しながら説明を行う。図８は、本実施の形態によるおけるテレビジョン受信装置Ａの表示画面８１に表示される表示例を示す図である。図８に示すように、ニュースインデックス情報の表示８３は基本的にスペースを取らないため、空きスペースを有効活用する方法として、符号１１１に示すように例えば空きスペースを広告スペースとして活用する。この広告スペースに広告情報を表示させることにより、インターネットのサーバは、広告収入を得ることができる。また、本発明のインデックス表示機能は、機器設定画面などからオン／オフすることが可能である。
【００４０】
以上に説明したように、本発明の実施の形態によるテレビビジョン受信装置によれば、インターネット機能が付加された装置において、例えば、テレビ放送でニュース番組が放送されていない時間帯でも最新ニュースが知りたいときには、テレビリモコンの「ニュース」ボタンを押すことにより、インターネット上から最新のＷｅｂニュースをテレビに表示することができる。この場合に、ニュース１件が１画面になるようにするのが好ましい。この時、テレビ放送は表示せずにチューナ系もパワーオフ(スリープモード)しておき、インターネットの制御系のみパワーオンしておくのが省エネルギーという観点から好ましい。ニュース表示中、テレビリモコンから「決定」が押されると、実際のインターネットのニュース画面に移動し、詳細ニュース内容が得られるので便利である。
【００４１】
尚、上記各実施の形態では、テレビジョン受信装置として、据え置き型の液晶テレビを例にして説明したが、テレビ受信機能とインターネット受信機能を備えた電子機器であれば、例えば携帯端末などであっても同様に利用可能である。
【産業上の利用可能性】
【００４２】
本発明は、インターネット機能を備えたテレビジョン受信装置に利用可能である。
【図面の簡単な説明】
【００４３】
【図１】本発明の第１の実施の形態によるテレビジョン受信装置の一構成例を示す図である。
【図２Ａ】図１の構成を有するテレビジョン受信装置の動作を示すフローチャート図である。
【図２Ｂ】図２Ａに続く図である。
【図３】図２Ａ、図２Ｂで示す処理のうちの一部であるモードＡ、モードＢ、モードＣに関するリモコンキーの割付に関する規約の一例を示す図である。
【図４】リモコン装置の一例を示す図であり、一般的なリモコン装置の概略構成を示す図である。
【図５】図２ＡのステップＳ７でニュースを選択した場合の液晶パネルへの表示例を示す図である。
【図６】メニューのお知らせの場合の表示例を示す図である。
【図７】再放送番組のお知らせの場合の表示例を示す図である。
【図８】本発明の第２の実施の形態によるおけるテレビジョン受信装置の表示画面に表示される表示例を示す図である。
【符号の説明】
【００４４】
Ａ…テレビジョン受信装置、１…アンテナ、３…チューナ、５…復調部、７…第１のコントローラ（第１の制御部）、１５…ＲＡＭ、１７…ＲＯＭ、２１…第１のＥＥＰＲＯＭ、２３…オーディオ用のＤＡＣ（ＤＡコンバータ）、２５…アンプ（ＡＭＰ）、２７…音声出力用のスピーカ、３１…第２のコントローラ（第２の制御部）、３３…ビデオプロセッサ（バックライトコントローラ機能を備える）、３５…電源制御部、３７…第２のＥＥＰＲＯＭ、４１…Ｅｔｈｅｎｅｔコントローラ、４３…リモコン受光部、４５…インバータ回路、４７…液晶パネル、５１…バックライト。
【図１】
2008092362.tif 000003
【図２Ａ】
2008092362.tif 000004
【図２Ｂ】
2008092362.tif 000005
【図３】
2008092362.tif 000006
【図４】
2008092362.tif 000007
【図５】
2008092362.tif 000008
【図６】
2008092362.tif 000009
【図７】
2008092362.tif 000010
【図８】
2008092362.tif 000011